【手続補正書】
【提出日】平成26年5月28日(2014.5.28)
【手続補正１】
【補正対象書類名】特許請求の範囲
【補正対象項目名】全文
【補正方法】変更
【補正の内容】
【特許請求の範囲】
【請求項１】
発光部と複数の光電変換素子がライン状に並ぶ光電変換部と前記光電変換部に蓄積された電荷を転送する転送部とを有するイメージセンサから出力される複数画素からなる画像データを取得する第１取得手段と、
前記転送部に発生するスミアに関し、前記発光部が発光する第１の色成分に対応し、補正対象の画素に対応する基準スミア量の情報を取得する第２取得手段と、
前記第１取得手段が取得した画像データの前記第１の色成分の輝度値と第２の色成分の輝度値との差と前記基準スミア量の情報とに基づいて、前記第１取得手段が取得した画像データの輝度値を補正する補正手段とを有することを特徴とする画像処理装置。
【請求項２】
前記補正手段は、前記第１取得手段が取得した画像データの前記第１の色成分の輝度値と前記第２の色成分の輝度値との差と前記基準スミア量の情報とに基づいて、前記第１の色成分の輝度値の補正量を特定し、該特定された第１の色成分の輝度値の補正量に基づき、前記第１取得手段が取得した画像データの前記第１の色成分の輝度値を補正することを特徴とする請求項１に記載の画像処理装置。
【請求項３】
前記補正手段は、前記第１取得手段が取得した画像データの前記第１の色成分の輝度値と前記第２の色成分の輝度値との差と、前記基準スミア量が発生するときの前記第１の色成分の輝度値と前記基準スミア量が発生するときの前記第２の色成分の輝度値との差と、前記第２取得手段により取得した基準スミア量の情報とに基づいて、前記第１の色成分の補正量を特定することを特徴とする請求項２に記載の画像処理装置。
【請求項４】
前記補正量は、所定の方向において同じ位置にある前記第１取得手段が取得した画像データの前記第１の色成分の輝度値と前記第２の色成分の輝度値との差に基づいて特定されることを特徴とする請求項２又は３に記載の画像処理装置。
【請求項５】
前記転送部から転送された電荷をＡ／Ｄ変換する変換部をさらに有することを特徴とする請求項１乃至４のいずれか１項に記載の画像処理装置。
【請求項６】
前記イメージセンサから出力された画像データを保持するメモリをさらに有することを特徴とする請求項１乃至５のいずれか１項に記載の画像処理装置。
【請求項７】
前記発光部は原稿に光を照射し、
前記光電変換部は、前記原稿により反射された光を受光することを特徴とする請求項１乃至６のいずれか１項に記載の画像処理装置。
【請求項８】
前記基準スミア量の情報は、予め測定により得られることを特徴とする請求項１乃至７のいずれか１項に記載の画像処理装置。
【請求項９】
前記発光部に含まれる３つの光源の発光光量を一定に保持する保持手段をさらに有することを特徴とする請求項１乃至８のいずれか１項に記載の画像処理装置。
【請求項１０】
前記発光部は、前記第１の色成分を発光した後に続けて前記第２の色成分を発光することを特徴とする請求項１乃至９のいずれか１項に記載の画像処理装置。
【請求項１１】
前記基準スミア量は、前記複数の光電変換素子の配列方向において補正対象となる各画素に固有の値であることを特徴とする請求項１乃至１０のいずれか１項に記載の画像処理装置。
【請求項１２】
前記第１取得手段は、前記イメージセンサにより１ライン毎に原稿の画像を読み取ることにより得られた画像データを取得することを特徴とする請求項１乃至１１のいずれか１項に記載の画像処理装置。
【請求項１３】
前記発光部は、１ライン毎に各色成分を時分割で発光することを特徴とする請求項１乃至１２のいずれか１項に記載の画像処理装置。
【請求項１４】
前記イメージセンサを備えることを特徴とする請求項１乃至１３のいずれか１項に記載の画像処理装置。
【請求項１５】
記録媒体に記録剤を用いて画像を記録する記録手段をさらに備えることを特徴とする請求項１乃至１４のいずれか１項に記載の画像処理装置。
【請求項１６】
発光部と複数の光電変換素子がライン状に並ぶ光電変換部と前記光電変換部に蓄積された電荷を転送する転送部とを有するイメージセンサが出力した画像データの処理方法であって、画像処理装置は、
前記イメージセンサから出力される複数画素からなる画像データを取得し、
前記転送部に発生するスミアに関し、前記発光部が発光する第１の色成分に対応し、補正対象の画素に対応する基準スミア量の情報を取得し、
前記イメージセンサが出力した前記第１の色成分の輝度値と第２の色成分の輝度値との差と前記基準スミア量の情報とに基づいて、前記イメージセンサが出力した画像データの輝度値を補正することを特徴とする画像データの処理方法。
【手続補正２】
【補正対象書類名】明細書
【補正対象項目名】発明の名称
【補正方法】変更
【補正の内容】
【発明の名称】画像処理装置及び画像データの処理方法
【手続補正３】
【補正対象書類名】明細書
【補正対象項目名】０００１
【補正方法】変更
【補正の内容】
【０００１】
本発明は画像処理装置及び画像データの処理方法に関し、特に、光学的に画像原稿を走査して画像を読み取る際にスミアによる異常画像を補正する画像処理装置及び画像データの処理方法に関する。
【手続補正４】
【補正対象書類名】明細書
【補正対象項目名】００１６
【補正方法】変更
【補正の内容】
【００１６】
本発明は上記従来例に鑑みてなされたもので、コストアップや性能低下を生じさせることなく効果的なスミア補正が可能な画像処理装置及び画像データの処理方法を提供すること目的としている。
【手続補正５】
【補正対象書類名】明細書
【補正対象項目名】００１７
【補正方法】変更
【補正の内容】
【００１７】
上記目的を達成するために本発明の画像処理装置は次のような構成からなる。
【手続補正６】
【補正対象書類名】明細書
【補正対象項目名】００１８
【補正方法】変更
【補正の内容】
【００１８】
即ち、発光部と複数の光電変換素子がライン状に並ぶ光電変換部と前記光電変換部に蓄積された電荷を転送する転送部とを有するイメージセンサから出力される複数画素からなる画像データを取得する第１取得手段と、前記転送部に発生するスミアに関し、前記発光部が発光する第１の色成分に対応し、補正対象の画素に対応する基準スミア量の情報を取得する第２取得手段と、前記第１取得手段が取得した画像データの前記第１の色成分の輝度値と第２の色成分の輝度値との差と前記基準スミア量の情報とに基づいて、前記第１取得手段が取得した画像データの輝度値を補正する補正手段とを有することを特徴とする。
【手続補正７】
【補正対象書類名】明細書
【補正対象項目名】００１９
【補正方法】変更
【補正の内容】
【００１９】
また本発明を別の側面から見れば、発光部と複数の光電変換素子がライン状に並ぶ光電変換部と前記光電変換部に蓄積された電荷を転送する転送部とを有するイメージセンサが出力した画像データの処理方法であって、画像処理装置は、前記イメージセンサから出力される複数画素からなる画像データを取得し、前記転送部に発生するスミアに関し、前記発光部が発光する第１の色成分に対応し、補正対象の画素に対応する基準スミア量の情報を取得し、前記イメージセンサが出力した前記第１の色成分の輝度値と第２の色成分の輝度値との差と前記基準スミア量の情報とに基づいて、前記イメージセンサが出力した画像データの輝度値を補正することを特徴とする画像データの処理方法を備える。